(57)【要約】【課題】  免震装置の撤去方法、ジャッキ制御装置及びジャッキシステムを提供する。【解決手段】  免震装置の撤去方法は、第２免震装置の各ベースと各躯体との固定を維持しつつ、第２免震装置の上ベースと下ベースとの間に配置される少なくとも一つのジャッキが、第２免震装置の上ベースを介して第２上躯体を押し上げて、第２上躯体を前記第２下躯体に対して上方に変位させることにより、第１上躯体を第１下躯体に対して上方に変位させること、を含む。【選択図】  図２
2017008548.tif 000002
【特許請求の範囲】
【請求項１】
上下方向で離間する上構造体及び下構造体と、前記上構造体の第１上躯体と前記下構造体の第１下躯体とを接続する第１免震装置と、前記上構造体の第２上躯体と前記下構造体の第２下躯体とを接続する少なくとも一つの第２免震装置と、を備え、前記免震装置の各々が、前記上躯体に固定される上ベースと、前記下躯体に固定される下ベースと、前記上ベースと前記下ベースとを接続する弾性の免震部と、を備える建物に対して、
前記第１免震装置を撤去する免震装置の撤去方法であって、
前記第２免震装置の前記各ベースと前記各躯体との固定を維持しつつ、前記第２免震装置の前記上ベースと前記下ベースとの間に配置される少なくとも一つのジャッキが、前記第２免震装置の前記上ベースを介して前記第２上躯体を押し上げて、前記第２上躯体を前記第２下躯体に対して上方に変位させることにより、前記第１上躯体を前記第１下躯体に対して上方に変位させること、を含む方法。
【請求項２】
前記ジャッキが前記第２上躯体を押し上げて且つ前記第２上躯体を前記第２下躯体に対して上方に変位させている状態において、地震信号を検出した際に、前記ジャッキによる前記第２上躯体の押し上げを解除させることで、前記第２上躯体を前記第２下躯体に対して下方に変位させて復元させること、を含む請求項１に記載の方法。
【請求項３】
前記ジャッキが前記第２上躯体を押し上げて且つ前記第２上躯体を前記第２下躯体に対して上方に変位させている状態において、復元信号を検出した際に、前記ジャッキによる前記第２上躯体の押し上げを解除させることで、前記第２上躯体を前記第２下躯体に対して下方に変位させて復元させること、を含み、
地震信号を検出した際における、前記第２上躯体が前記第２下躯体に対して下方に変位する速度は、復元信号を検出した際における、当該速度よりも、速い請求項２に記載の方法。
【請求項４】
上下方向で離間する上構造体と下構造体との間に配置される少なくとも一つのジャッキを制御するジャッキ制御装置であって、
前記ジャッキが前記上構造体を押し上げて且つ前記上構造体を前記下構造体に対して上方に変位させている状態において、地震信号を検出した際に、前記上構造体が前記下構造体に対して下方に変位して復元するように、前記ジャッキによる前記上構造体の押し上げを解除させるジャッキ制御装置。
【請求項５】
前記ジャッキが前記上構造体を押し上げて且つ前記上構造体を前記下構造体に対して上方に変位させている状態において、復元信号を検出した際に、前記上構造体が前記下構造体に対して下方に変位して復元するように、前記ジャッキによる前記上構造体の押し上げを解除させ、
地震信号を検出した際における、前記上構造体が前記下構造体に対して下方に変位する速度は、復元信号を検出した際における、当該速度よりも、速い請求項４に記載のジャッキ制御装置。
【請求項６】
上下方向で離間する上構造体と下構造体との間に配置される少なくとも一つのジャッキと、前記ジャッキを制御する請求項４又は５に記載のジャッキ制御装置とを備えるジャッキシステム。
【発明の詳細な説明】
【技術分野】
【０００１】
本発明は、上下方向で離間する上構造体及び下構造体を接続する複数の免震装置のうち、一つの免震装置を撤去する免震装置の撤去方法に関する。また、本発明は、上下方向で離間する上構造体と下構造体との間に配置される少なくとも一つのジャッキを制御するジャッキ制御装置及びジャッキシステムに関する。
【背景技術】
【０００２】
従来、上下方向で離間する上構造体及び下構造体を接続する免震装置を撤去する方法として、上構造体と下構造体との間に配置されるジャッキが上構造体を押し上げることで、上構造体を下構造体に対して上方に変位させる方法が知られている（例えば、特許文献１）。
【０００３】
ところで、特許文献１に係る方法においては、上構造体及び下構造体における、ジャッキから荷重を受ける部分を保護する必要があるため、大掛りな補強工事が必要になるという問題がある。また、特許文献１に係る方法においては、免震装置を撤去している際に地震が発生すると、建物の安全性が低下するという問題がある。
【先行技術文献】
【特許文献】
【０００４】
【特許文献１】特開２００８−１６３６３６号公報
【発明の概要】
【発明が解決しようとする課題】
【０００５】
よって、本発明は、斯かる事情に鑑み、上記問題の少なくとも一つを解決する免震装置の撤去方法、ジャッキ制御装置及びジャッキシステムを提供することを課題とする。
【課題を解決するための手段】
【０００６】
免震装置の撤去方法は、上下方向で離間する上構造体及び下構造体と、前記上構造体の第１上躯体と前記下構造体の第１下躯体とを接続する第１免震装置と、前記上構造体の第２上躯体と前記下構造体の第２下躯体とを接続する少なくとも一つの第２免震装置と、を備え、前記免震装置の各々が、前記上躯体に固定される上ベースと、前記下躯体に固定される下ベースと、前記上ベースと前記下ベースとを接続する弾性の免震部と、を備える建物に対して、前記第１免震装置を撤去する免震装置の撤去方法であって、前記第２免震装置の前記各ベースと前記各躯体との固定を維持しつつ、前記第２免震装置の前記上ベースと前記下ベースとの間に配置される少なくとも一つのジャッキが、前記第２免震装置の前記上ベースを介して前記第２上躯体を押し上げて、前記第２上躯体を前記第２下躯体に対して上方に変位させることにより、前記第１上躯体を前記第１下躯体に対して上方に変位させること、を含む。
【０００７】
また、免震装置の撤去方法は、前記ジャッキが前記第２上躯体を押し上げて且つ前記第２上躯体を前記第２下躯体に対して上方に変位させている状態において、地震信号を検出した際に、前記ジャッキによる前記第２上躯体の押し上げを解除させることで、前記第２上躯体を前記第２下躯体に対して下方に変位させて復元させること、を含む、としてもよい。
【０００８】
また、免震装置の撤去方法においては、前記ジャッキが前記第２上躯体を押し上げて且つ前記第２上躯体を前記第２下躯体に対して上方に変位させている状態において、復元信号を検出した際に、前記ジャッキによる前記第２上躯体の押し上げを解除させることで、前記第２上躯体を前記第２下躯体に対して下方に変位させて復元させること、を含み、地震信号を検出した際における、前記第２上躯体が前記第２下躯体に対して下方に変位する速度は、復元信号を検出した際における、当該速度よりも、速い、としてもよい。
【０００９】
また、ジャッキ制御装置は、上下方向で離間する上構造体と下構造体との間に配置される少なくとも一つのジャッキを制御するジャッキ制御装置であって、前記ジャッキが前記上構造体を押し上げて且つ前記上構造体を前記下構造体に対して上方に変位させている状態において、地震信号を検出した際に、前記上構造体が前記下構造体に対して下方に変位して復元するように、前記ジャッキによる前記上構造体の押し上げを解除させる。
【００１０】
また、ジャッキ制御装置においては、前記ジャッキが前記上構造体を押し上げて且つ前記上構造体を前記下構造体に対して上方に変位させている状態において、復元信号を検出した際に、前記上構造体が前記下構造体に対して下方に変位して復元するように、前記ジャッキによる前記上構造体の押し上げを解除させ、地震信号を検出した際における、前記上構造体が前記下構造体に対して下方に変位する速度は、復元信号を検出した際における、当該速度よりも、速い、という構成でもよい。
【００１１】
また、ジャッキシステムは、上下方向で離間する上構造体と下構造体との間に配置される少なくとも一つのジャッキと、前記ジャッキを制御する前記のジャッキ制御装置とを備える。
【図面の簡単な説明】
【００１２】
【図１】図１は、一実施形態に係るジャッキシステムの全体概略正面図である。
【図２】図２は、同実施形態に係るジャッキユニットの全体概略正面図である。
【図３】図３は、同実施形態に係るジャッキユニットの全体概略斜視図である。
【図４】図４は、同実施形態に係るジャッキシステムの駆動系統図である。
【図５】図５は、同実施形態に係るジャッキシステムの制御ブロック図である。
【図６】図６は、同実施形態に係るジャッキシステムにおける免震装置の撤去方法を説明する図であって、仮保持状態を示す図である。
【図７】図７は、同実施形態に係るジャッキシステムにおける免震装置の撤去方法を説明する図であって、押し上げ状態を示す図である。
【図８】図８は、同実施形態に係るジャッキシステムにおける免震装置の撤去方法を説明する図であって、地震が発生した際の状態を示す図である。
【図９】図９は、他の実施形態に係るジャッキシステムの制御ブロック図である。
【図１０】図１０は、さらに他の実施形態に係るジャッキシステムの制御ブロック図である。
【発明を実施するための形態】
【００１３】
以下、免震装置の撤去方法、ジャッキ制御装置及びジャッキシステムにおける一実施形態について、図１〜図８を参酌して説明する。なお、各図において、図面の寸法比と実際の寸法比とは、必ずしも一致していない。
【００１４】
ここで、ジャッキシステムの各構成を説明するのに先立って、建物について説明する。図１及び図２に示すように、建物１０は、上下方向で離間する上構造体１１及び下構造体１２と、上構造体１１と下構造体１２とを接続する複数の免震装置１３，１４とを備えている。なお、複数の免震装置１３，１４のうち、撤去対象の免震装置１３は、第１免震装置１３と呼ばれ、ジャッキが設置される免震装置１４は、第２免震装置１４と呼ばれる。
【００１５】
上構造体１１は、第１免震装置１３に接続される第１上躯体１１ａと、第２免震装置１４に接続される第２上躯体１１ｂ，１１ｂと、各上躯体１１ａ，１１ｂの上部を連結する構造本体１１ｃとを備えている。本実施形態においては、各上躯体１１ａ，１１ｂは、柱であり、構造本体１１ｃは、長尺に延びる梁である。なお、上構造体１１は、斯かる構成に限られない。
【００１６】
下構造体１２は、第１免震装置１３に接続される第１下躯体１２ａと、第２免震装置１４に接続される第２下躯体１２ｂ，１２ｂと、各下躯体１２ａ，１２ｂの下部を連結する構造本体１２ｃとを備えている。本実施形態においては、各下躯体１２ａ，１２ｂは、基礎柱であり、構造本体１２ｃは、平面状に広がる基礎である。なお、下構造体１２は、斯かる構成に限られない。
【００１７】
第１免震装置１３は、第１上躯体１１ａに固定される第１上ベース１３ａと、第１下躯体１２ａに固定される第１下ベース１３ｂと、第１上ベース１３ａと第１下ベース１３ｂとを接続する弾性の第１免震部１３ｃとを備えている。第１免震装置１３は、第１上ベース１３ａを第１上躯体１１ａの下面に固定する上固定体１３ｄと、第１下ベース１３ｂを第１下躯体１２ａの上面に固定する下固定体１３ｅとを備えている。
【００１８】
第２免震装置１４は、第２上躯体１１ｂに固定される第２上ベース１４ａと、第２下躯体１２ｂに固定される第２下ベース１４ｂと、第２上ベース１４ａと第２下ベース１４ｂとを接続する弾性の第２免震部１４ｃとを備えている。第２免震装置１４は、第２上ベース１４ａを第２上躯体１１ｂの下面に固定する上固定体１４ｄと、第２下ベース１４ｂを第２下躯体１２ｂの上面に固定する下固定体１４ｅとを備えている。
【００１９】
上ベース１３ａ，１４ａ及び下ベース１３ｂ，１４ｂは、平板状に形成されている。そして、上ベース１３ａ，１４ａ及び下ベース１３ｂ，１４ｂの外幅寸法（外径）は、免震部１３ｃ，１４ｃの外幅寸法（外径）よりも、大きい。具体的には、上ベース１３ａ，１４ａ及び下ベース１３ｂ，１４ｂは、フランジ状に形成されている。本実施形態においては、上ベース１３ａ，１４ａ及び下ベース１３ｂ，１４ｂは、例えば鋼鉄、ステンレス鋼といった金属で形成されている。
【００２０】
なお、免震装置１３，１４は、上ベース１３ａ，１４ａの下面から下方に突出する突出部１３ｆ，１４ｆと、下ベース１３ｂ，１４ｂの上面から上方に突出する突出部１３ｆ，１４ｆとを備えている。本実施形態においては、各固定体１３ｄ，１３ｅ，１４ｄ，１４ｅは、各躯体１１ａ，１１ｂ，１２ａ，１２ｂと螺合するボルトであって、突出部１３ｆ，１４ｆは、各固定体１３ｄ，１３ｅ，１４ｄ，１４ｅの一部（ボルトの頭）である。
【００２１】
免震部１３ｃ，１４ｃは、横方向に弾性変形可能である。また、免震部１３ｃ，１４ｃは、横方向よりも小さい弾性変形ではあるが、上下方向にも弾性変形可能である。例えば、免震部１３ｃ，１４ｃは、ゴム等の弾性層と、金属板等の剛性層とを積層して形成されている。
【００２２】
図１に示すように、本実施形態に係るジャッキシステム１は、上下方向で離間する上構造体１１と下構造体１２との間に配置される少なくとも一つのジャッキ２１を有するジャッキユニット２と、ジャッキ２１を動作させる駆動部３とを備えている。また、ジャッキシステム１は、各種情報を検出する検出部４と、各種情報が入力される入力部５と、検出部４及び入力部５の情報に基づいて駆動部３を制御することで、ジャッキ２１を制御するジャッキ制御装置６とを備えている。
【００２３】
図１に示すように、ジャッキユニット２は、上構造体１１の第２上躯体１１ｂと下構造体１２の第２下躯体１２ｂとの間に配置されている。具体的には、ジャッキユニット２は、第２免震装置１４に設置され、第２上ベース１４ａと第２下ベース１４ｂとの間に配置されている。
【００２４】
本実施形態においては、ジャッキユニット２は、２つの第２免震装置１４に設置されているが、斯かる構成に限られず、１つ又は３つ以上の第２免震装置１４に設置されてもよい。また、本実施形態においては、ジャッキユニット２は、第１免震装置１３に隣接している第２免震装置１４，１４のみに設置しているが、斯かる構成に限られない。
【００２５】
図２及び図３に示すように、ジャッキユニット２は、少なくとも一つのジャッキ２１と、第２上ベース１４ａとジャッキ２１との間に介在される上介在体２２と、第２下ベース１４ｂとジャッキ２１との間に介在される下介在体２３とを備えている。本実施形態においては、ジャッキ２１は、８つ備えられているが、斯かる数に限られない。
【００２６】
ジャッキ２１は、本体部２１ａと、本体部２１ａに対して移動可能な可動体２１ｂと、本体部２１ａの下部に固定される支持板２１ｃとを備えている。本実施形態においては、ジャッキ２１は、油圧ジャッキとしているが、斯かる構成に限られず、例えば、ネジジャッキやラックジャッキといった電動ジャッキとしてもよい。
【００２７】
各介在体２２，２３は、平板状に形成されている。本実施形態においては、各介在体２２，２３は、２つのジャッキ２１に跨られている。即ち、各介在体２２，２３は、１つのジャッキユニット２に対して、４つずつ備えられている。そして、各介在体２２，２３は、各ベース１４ａ，１４ｂの外周の形状に対応して、形成されている。具体的には、各介在体２２，２３は、各ベース１４ａ，１４ｂの円形状の外周の形状に対応して、円弧状に形成されている。
【００２８】
各介在体２２，２３は、突出部１３ｆ，１４ｆを収容する凹部２２ａ，２３ａを備えている。これにより、上介在体２２の上面は、全面に亘って、第２上ベース１４ａの下面に接し、下介在体２３の下面は、全面に亘って、第２下ベース１４ｂの上面に接する。また、各介在体２２，２３は、各ベース１４ａ，１４ｂに対して自由である。さらに、各介在体２２，２３は、ジャッキ２１に対しても自由である。本実施形態においては、各介在体２２，２３は、例えば鋼鉄、ステンレス鋼といった金属で形成されている。
【００２９】
図２に示すように、検出部４は、地震を検出する地震検出部４１を備えている。また、検出部４は、上構造体１１の第２上躯体１１ｂが下構造体１２の第２下躯体１２ｂに対して上下方向で変位した量を検出する変位検出部４２を備えている。
【００３０】
地震検出部４１は、所定以上の振動を検出した際に地震が発生したと判定して、地震信号をジャッキ制御装置６に向けて出力する。そして、地震検出部４１は、第２下躯体１２ｂの上面に取り付けられている。なお、地震検出部４１の取り付けられる場所は、特に限定されない。また、地震検出部４１は、１つのジャッキシステム１に対して、少なくとも１つ備えられていればよく、本実施形態においては、１つ備えられている。
【００３１】
変位検出部４２は、第２上躯体１１ｂの下面との距離を測定する距離測定部４２ａと、距離測定部４２ａを第２下躯体１２ｂに固定する台座４２ｂとを備えている。そして、距離測定部４２ａは、第２上躯体１１ｂの下面との距離、又は、第２上躯体１１ｂの下面との距離と基準距離との差を、連続的にジャッキ制御装置６に向けて出力する。
【００３２】
変位検出部４２は、１つのジャッキユニット２に対して、少なくとも１つ備えられていればよく、本実施形態においては、１つ備えられている。なお、１つのジャッキユニット２に対して、変位検出部４２が３つ以上備えられることで、第２上ベース１４ａの傾きを検出することができる。また、変位検出部４２は、斯かる構成に限られず、第２上躯体１１ｂが第２下躯体１２ｂに対して上下方向で変位した量を検出する構成であればよい。
【００３３】
図４に示すように、駆動部３は、駆動源３１と、駆動源３１の駆動をジャッキ２１に伝達する伝達部３２とを備えている。本実施形態においては、ジャッキ２１が油圧ジャッキであるため、駆動源３１は、油圧ポンプであり、伝達部３２は、各ジャッキ２１と駆動源３１とを接続して油を流通させる配管３２ａと、各配管３２ａ中に配置され、開度が変更可能な制御弁３２ｂとを備えている。
【００３４】
本実施形態においては、伝達部３２は、１つの配管３２ａにより、ジャッキ２１への油の流入及びジャッキ２１からの油の流出を兼ねる単動式であるが、斯かる構成に限られず、ジャッキ２１への油の流入用の配管と、ジャッキ２１からの油の流出用の配管とを備える複動式でもよい。また、検出部４は、ジャッキ２１の油圧を検出するために、配管３２ａの油圧を検出する圧力検出部４３を備えている。
【００３５】
図５に示すように、入力部５は、ジャッキ２１で上構造体１１を押し上げる押上指示を入力するために押上指示入力部５１と、ジャッキ２１が上構造体１１を押し上げる状態を解除する復元指示を入力するための復元指示入力部５２とを備えている。また、入力部５は、圧力値及び変位値等の各種設定値を入力するための設定値入力部５３を備えている。
【００３６】
そして、各入力部５１，５２，５３は、情報が入力されると、該情報の信号をジャッキ制御装置６に向けて出力する。なお、各入力部５１，５２，５３は、押しスイッチ、回転スイッチ、又はテンキースイッチ等を採用することができる。
【００３７】
ジャッキ制御装置６は、検出部４で出力された情報及び入力部５で入力された情報を受信する受信部６１と、各種情報を記憶する記憶部６２とを備えている。また、ジャッキ制御装置６は、受信部６１で受信した情報と記憶部６２に記憶されている情報とに基づいて駆動部３を制御することで、ジャッキ２１を制御する制御部６３を備えている。
【００３８】
ここで、ジャッキ制御装置６の制御について説明する。
【００３９】
＜押上制御＞
まず、受信部６１が押上指示入力部５１から押上信号を受信すると、制御部６３が押上信号を検出して駆動部３（具体的には、駆動源３１及び制御弁３２ｂ）を押上制御で制御するため、ジャッキ２１の可動体２１ｂが本体部２１ａに対して上昇する。このとき、制御部６３は、全てのジャッキ２１を同期させて、可動体２１ｂを上昇させてもよく、また、ジャッキユニット２ごとでジャッキ２１を同期させて、可動体２１ｂを上昇させてもよい。
【００４０】
そして、変位検出部４２及び圧力検出部４３で検出する検出値（変位値、圧力値）が記憶部６２に記憶されている設定値（変位値、圧力値）となるように、制御部６３は、駆動部３を制御する。変位値及び圧力値が設定値になった後においては、制御部６３は、変位値及び圧力値が設定値で維持するように、フィードバック制御する。なお、ジャッキ２１の設定圧力値は、少なくともジャッキユニット２ごとで、同じとなるように設定されている。
【００４１】
＜復元制御＞
また、受信部６１が復元指示入力部５２から復元信号を受信すると、制御部６３が復元信号を検出して駆動部３を復元制御で制御するため、ジャッキ２１の可動体２１ｂが本体部２１ａに対して下降する。このとき、制御部６３は、全てのジャッキ２１を同期させて、可動体２１ｂを下降させてもよく、また、ジャッキユニット２ごとでジャッキ２１を同期させて、可動体２１ｂを下降させてもよい。
【００４２】
＜地震制御＞
次に、制御部６３が押上制御をしている際に、受信部６１が地震検出部４１から地震信号を受信すると、制御部６３が、地震信号を検出するため、押上制御を解除して、駆動部３を地震制御で制御する。これにより、全てのジャッキ２１が同期して、ジャッキ２１の可動体２１ｂが本体部２１ａに対して下降する。
【００４３】
なお、地震制御の際の可動体２１ｂの下降速度は、復元制御の際の可動体２１ｂの下降速度よりも、速い。例えば、復元制御の際の可動体２１ｂの下降速度は、１ｍｍ／分であるのに対して、地震制御の際の可動体２１ｂの下降速度は、３〜５ｍｍ／秒である。また、例えば、押上制御の際の可動体２１ｂの上昇速度は、０．１５〜０．２０ｍｍ／分である。
【００４４】
また、例えば、第１免震装置１３を撤去する際に、第１上躯体１１ａを第１下躯体１２ａに対して上方に変位させる量は、６〜７ｍｍである。このとき、第２上躯体１１ｂを第２下躯体１２ｂに対して上方に変位させる量は、例えば、３〜７ｍｍである。
【００４５】
本実施形態に係るジャッキシステム１の構成については以上の通りであり、次に、本実施形態に係る免震装置の撤去方法について、図６〜図８を参酌して、説明する。
【００４６】
図６に示すように、撤去対象である第１免震装置１３の周りに配置される第２免震装置１４，１４にそれぞれジャッキユニット２を設置する。このとき、各介在体２２，２３が各ベース１４ａ，１４ｂ及びジャッキ２１に対して自由であるため、ジャッキ２１の可動体２１ｂを少し上昇させて、ジャッキ２１が倒れないように、ジャッキ２１及び各介在体２２，２３を仮保持する。
【００４７】
そして、第１上躯体１１ａと第１上ベース１３ａとの固定を解除し、押上指示入力部５１に押上指示を入力すると、図７に示すように、ジャッキ２１の可動体２１ｂが本体部２１ａに対して上昇する。このとき、第２免震装置１４の各ベース１４ａ，１４ｂと各躯体１１ｂ，１２ｂとの固定が維持されているため、第２免震部１４ｃが上下方向に伸びるように弾性変形する。
【００４８】
そして、第２上ベース１４ａと第２下ベース１４ｂとの間に配置されるジャッキ２１が、上介在体２２及び第２上ベース１４ａを介して第２上躯体１１ｂを押し上げ、第２上躯体１１ｂを第２下躯体１２ｂに対して上方に変位させる。これにより、第１上躯体１１ａが第１下躯体１２ａに対して上方に変位するため、第１上躯体１１ａと第１上ベース１３ａとが離間する。そして、第１下躯体１２ａと第１下ベース１３ｂとの固定を解除することで、第１免震装置１３を容易に撤去することができる。
【００４９】
このとき、ジャッキ２１は、上介在体２２及び第２上ベース１４ａを介して第２上躯体１１ｂを上方に向けて圧し、且つ、下介在体２３及び第２下ベース１４ｂを介して第２下躯体１２ｂを下方に向けて圧している。即ち、第２上躯体１１ｂの下面は、上介在体２２及び第２上ベース１４ａを介して、ジャッキ２１から上方に向けて荷重を受け、また、第２下躯体１２ｂの上面は、下介在体２３及び第２下ベース１４ｂを介して、ジャッキ２１から下方に向けて荷重を受けている。
【００５０】
しかしながら、第２上躯体１１ｂの下面及び第２下躯体１２ｂの上面は、もともと第２免震装置１４から荷重を受けているため、当該荷重に耐え得る強度を有している。したがって、本実施形態においては、第２上躯体１１ｂ及び第２下躯体１２ｂを保護するための補強工事を実施する必要がない。
【００５１】
その後、新たな第１免震装置１３を、第１上躯体１１ａと第１下躯体１２ａとの間に配置し、各ベース１３ａ，１３ｂと各躯体１１ａ，１２ａとを固定する。そして、復元指示入力部５２に復元指示を入力すると、ジャッキ２１の可動体２１ｂが本体部２１ａに対して下降する。
【００５２】
これにより、ジャッキ２１による第２上躯体１１ｂの押し上げが解除されるため、第２上躯体１１ｂが第２下躯体１２ｂに対して下方に変位して復元する。それに伴って、第１上躯体１１ａが第１下躯体１２ａに対して下方に変位して復元するため、第１免震装置１３の交換が完了する。
【００５３】
ところで、図７に示すように、ジャッキ２１が第２上躯体１１ｂを押し上げて且つ第２上躯体１１ｂを第２下躯体１２ｂに対して上方に変位させている状態において、地震検出部４１が地震を検出すると、図８に示すように、ジャッキ２１の可動体２１ｂが本体部２１ａに対して下降する。これにより、ジャッキ２１による第２上躯体１１ｂの押し上げが解除されるため、第２上躯体１１ｂが第２下躯体１２ｂに対して下方に変位して復元する。したがって、第２免震装置１４がその免震機能を果たすことができる。
【００５４】
また、第２免震装置１４の各ベース１４ａ，１４ｂ及びジャッキ２１に対して自由である介在体２２，２３が、各ベース１４ａ，１４ｂとジャッキ２１との間に配置されている。したがって、地震が発生した際に、ジャッキ２１が転倒したり、各介在体２２，２３が第２免震装置１４の外に放出したりすることで、ジャッキ２１による第２上躯体１１ｂの押し上げを早急に解除することもできる。
【００５５】
以上より、本実施形態に係る免震装置の撤去方法は、上下方向で離間する上構造体１１及び下構造体１２と、前記上構造体１１の第１上躯体１１ａと前記下構造体１２の第１下躯体１２ａとを接続する第１免震装置１３と、前記上構造体１１の第２上躯体１１ｂと前記下構造体１２の第２下躯体１２ｂとを接続する少なくとも一つの第２免震装置１４と、を備え、前記免震装置１３，１４の各々が、前記上躯体１１ａ，１１ｂに固定される上ベース１３ａ，１４ａと、前記下躯体１２ａ，１２ｂに固定される下ベース１３ｂ，１４ｂと、前記上ベース１３ａ，１４ａと前記下ベース１３ｂ，１４ｂとを接続する弾性の免震部１３ｃ，１４ｃと、を備える建物１０に対して、前記第１免震装置１３を撤去する免震装置の撤去方法であって、前記第２免震装置１４の前記各ベース１４ａ，１４ｂと前記各躯体１１ｂ，１２ｂとの固定を維持しつつ、前記第２免震装置１４の前記上ベース１４ａと前記下ベース１４ｂとの間に配置される少なくとも一つのジャッキ２１が、前記第２免震装置１４の前記上ベース１４ａを介して前記第２上躯体１１ｂを押し上げて、前記第２上躯体１１ｂを前記第２下躯体１２ｂに対して上方に変位させることにより、前記第１上躯体１１ａを前記第１下躯体１２ａに対して上方に変位させること、を含む。
【００５６】
斯かる方法によれば、第２免震装置１４の各ベース１４ａ，１４ｂと各躯体１１ｂ，１２ｂとの固定を維持しつつ、第２免震装置１４の上ベース１４ａと下ベース１４ｂとの間に配置される少なくとも一つのジャッキ２１が、第２免震装置１４の上ベース１４ａを介して第２上躯体１１ｂを押し上げる。これにより、第２上躯体１１ｂが第２下躯体１２ｂに対して上方に変位し、それに伴って、第１上躯体１１ａが第１下躯体１２ａに対して上方に変位する。これにより、第１上躯体１１ａと第１下躯体１２ａとの間から、第１免震装置１３を撤去することができる。
【００５７】
ところで、ジャッキ２１が第２免震装置１４の上ベース１４ａを介して第２上躯体１１ｂを押し上げるため、第２上躯体１１ｂは、第２免震装置１４の上ベース１４ａを介してジャッキ２１から上方に向けて荷重を受ける。しかしながら、第２上躯体１１ｂは、もともと第２免震装置１４から荷重を受けているため、当該荷重に耐え得る強度を有している。したがって、第２上躯体１１ｂを保護するための補強工事を最小限に抑えることができる。
【００５８】
また、本実施形態に係る免震装置の撤去方法は、前記ジャッキ２１が前記第２上躯体１１ｂを押し上げて且つ前記第２上躯体１１ｂを前記第２下躯体１２ｂに対して上方に変位させている状態において、地震信号を検出した際に、前記ジャッキ２１による前記第２上躯体１１ｂの押し上げを解除させることで、前記第２上躯体１１ｂを前記第２下躯体１２ｂに対して下方に変位させて復元させること、を含む。
【００５９】
斯かる方法によれば、ジャッキ２１が第２上躯体１１ｂを押し上げて且つ第２上躯体１１ｂを第２下躯体１２ｂに対して上方に変位させている状態において、地震信号を検出した際に、ジャッキ２１による第２上躯体１１ｂの押し上げを解除させる。これにより、第２上躯体１１ｂが、第２下躯体１２ｂに対して下方に変位して復元するため、第２免震装置１４がその免震機能を果たすことができる。したがって、地震に対する建物１０の安全性が低下することを抑制することができる。
【００６０】
また、本実施形態に係る免震装置の撤去方法においては、前記ジャッキ２１が前記第２上躯体１１ｂを押し上げて且つ前記第２上躯体１１ｂを前記第２下躯体１２ｂに対して上方に変位させている状態において、復元信号を検出した際に、前記ジャッキ２１による前記第２上躯体１１ｂの押し上げを解除させることで、前記第２上躯体１１ｂを前記第２下躯体１２ｂに対して下方に変位させて復元させること、を含み、地震信号を検出した際における、前記第２上躯体１１ｂが前記第２下躯体１２ｂに対して下方に変位する速度は、復元信号を検出した際における、当該速度よりも、速い。
【００６１】
斯かる方法によれば、ジャッキ２１が第２上躯体１１ｂを押し上げて且つ第２上躯体１１ｂを第２下躯体１２ｂに対して上方に変位させている状態において、復元信号を検出した際に、ジャッキ２１による第２上躯体１１ｂの押し上げを解除させる。これにより、第２上躯体１１ｂが第２下躯体１２ｂに対して下方に変位して復元するため、それに伴って、第１上躯体１１ａが第１下躯体１２ａに対して下方に変位して復元する。
【００６２】
そして、地震信号を検出した際における、第２上躯体１１ｂが第２下躯体１２ｂに対して下方に変位する速度は、復元信号を検出した際における、当該速度よりも、速くなっている。これにより、地震信号を検出した際には、第２上躯体１１ｂが第２下躯体１２ｂに対して速く下方に変位するため、第２免震装置１４が早急にその免震機能を果たすことができるようになる。一方、復元信号を検出した際には、第２上躯体１１ｂが第２下躯体１２ｂに対して遅く下方に変位するため、第１及び第２上躯体１１ａ，１１ｂを安全に復元することができる。
【００６３】
また、本実施形態に係るジャッキシステム１は、上下方向で離間する上構造体１１と下構造体１２との間に配置される少なくとも一つのジャッキ２１と、前記ジャッキ２１を制御するジャッキ制御装置６とを備える。
【００６４】
そして、本実施形態に係るジャッキ制御装置６は、上下方向で離間する上構造体１１と下構造体１２との間に配置される少なくとも一つのジャッキ２１を制御するジャッキ制御装置であって、前記ジャッキ２１が前記上構造体１１を押し上げて且つ前記上構造体１１を前記下構造体１２に対して上方に変位させている状態において、地震信号を検出した際に、前記上構造体１１が前記下構造体１２に対して下方に変位して復元するように、前記ジャッキ２１による前記上構造体１１の押し上げを解除させる。
【００６５】
斯かる構成によれば、ジャッキ２１が上構造体１１を押し上げて且つ上構造体１１を下構造体１２に対して上方に変位させている状態において、ジャッキ制御装置６は、地震信号を検出した際に、ジャッキ２１による上構造体１１の押し上げを解除させる。これにより、上構造体１１が下構造体１２に対して下方に変位して復元するため、建物１０を通常の状態（又は、それに近い状態）に戻すことができる。したがって、地震に対する建物１０の安全性が低下することを抑制することができる。
【００６６】
また、本実施形態に係るジャッキ制御装置６は、前記ジャッキ２１が前記上構造体１１を押し上げて且つ前記上構造体１１を前記下構造体１２に対して上方に変位させている状態において、復元信号を検出した際に、前記上構造体１１が前記下構造体１２に対して下方に変位して復元するように、前記ジャッキ２１による前記上構造体１１の押し上げを解除させ、地震信号を検出した際における、前記上構造体１１が前記下構造体１２に対して下方に変位する速度は、復元信号を検出した際における、当該速度よりも、速い、という構成である。
【００６７】
斯かる構成によれば、ジャッキ２１が上構造体１１を押し上げて且つ上構造体１１を下構造体１２に対して上方に変位させている状態において、ジャッキ制御装置６は、復元信号を検出した際に、ジャッキ２１による上構造体１１の押し上げを解除させる。これにより、上構造体１１が下構造体１２に対して下方に変位して復元するため、建物１０を通常の状態に戻すことができる。
【００６８】
そして、地震信号を検出した際における、上構造体１１が下構造体１２に対して下方に変位する速度は、復元信号を検出した際における、当該速度よりも、速くなっている。これにより、地震信号を検出した際には、上構造体１１が下構造体１２に対して速く下方に変位するため、建物１０を通常の状態（又は、それに近い状態）に早急に戻すことができる。一方、復元信号を検出した際には、上構造体１１が下構造体１２に対し遅く下方に変位するため、建物１０を通常の状態に安全に戻すことができる。
【００６９】
なお、免震装置の撤去方法、ジャッキ制御装置及びジャッキシステムは、上記した実施形態の構成に限定されるものではなく、また、上記した作用効果に限定されるものではない。また、免震装置の撤去方法、ジャッキ制御装置及びジャッキシステムは、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７０】
上記実施形態に係る免震装置の撤去方法、ジャッキ制御装置６及びジャッキシステム１においては、地震検出部４１は、地震を検出した際に、ジャッキ制御装置６に地震信号を出力し、制御部６３は、当該信号を地震信号として検出する、という構成である。しかしながら、免震装置の撤去方法、ジャッキ制御装置６及びジャッキシステム１は、斯かる構成に限られない。
【００７１】
例えば、免震装置の撤去方法、ジャッキ制御装置６及びジャッキシステム１においては、図９に示すように、検出部４は、振動を検出する振動検出部４４を備え、振動検出部４４は、検出する振動を連続的にジャッキ制御装置６に向けて出力し、制御部６３は、当該振動から地震が発生しているか否かを判定し、地震が発生したと判定した際に、地震信号として検出する、という構成でもよい。
【００７２】
また、免震装置の撤去方法、ジャッキ制御装置６及びジャッキシステム１においては、例えば、図１０に示すように、入力部５は、緊急指示が入力される緊急指示入力部５４を備え、緊急指示入力部５４は、緊急指示が入力された際に、該指示情報の信号をジャッキ制御装置６に向けて出力し、制御部６３は、当該信号を地震信号として検出する、という構成でもよい。なお、緊急指示入力部５４は、例えば、押しスイッチや回転スイッチ等を採用することができる。
【００７３】
また、上記実施形態に係る免震装置の撤去方法、ジャッキ制御装置６及びジャッキシステム１においては、各介在体２２，２３は、各ベース１４ａ，１４ｂ及びジャッキ２１に対して自由である、という構成である。しかしながら、免震装置の撤去方法、ジャッキ制御装置６及びジャッキシステム１は、斯かる構成に限られない。例えば、免震装置の撤去方法、ジャッキ制御装置６及びジャッキシステム１においては、各介在体２２，２３は、各ベース１４ａ，１４ｂ及びジャッキ２１の少なくとも一つに固定される、という構成でもよい。
【００７４】
また、上記実施形態に係る免震装置の撤去方法、ジャッキ制御装置６及びジャッキシステム１においては、介在体２２，２３が備えられている、という構成である。しかしながら、免震装置の撤去方法、ジャッキ制御装置６及びジャッキシステム１は、斯かる構成に限られない。例えば、免震装置の撤去方法、ジャッキ制御装置６及びジャッキシステム１においては、介在体２２，２３が備えられておらず、ジャッキ２１は、各ベース１４ａ，１４ｂに接する、という構成でもよい。
【００７５】
また、上記実施形態に係る免震装置の撤去方法、ジャッキ制御装置６及びジャッキシステム１においては、介在体２２，２３は、各ベース１４ａ，１４ｂとジャッキ２１との間に１つ備えられている、という構成である。しかしながら、免震装置の撤去方法、ジャッキ制御装置６及びジャッキシステム１は、斯かる構成に限られない。例えば、免震装置の撤去方法、ジャッキ制御装置６及びジャッキシステム１においては、介在体２２，２３は、各ベース１４ａ，１４ｂとジャッキ２１との間に積層して複数備えられている、という構成でもよい。
【００７６】
また、上記実施形態に係る免震装置の撤去方法、ジャッキ制御装置６及びジャッキシステム１においては、地震信号を検出した際における、上構造体１１が下構造体１２に対して下方に変位する速度は、復元信号を検出した際における、当該速度よりも、速い、という構成である。しかしながら、免震装置の撤去方法、ジャッキ制御装置６及びジャッキシステム１は、斯かる構成に限られない。例えば、免震装置の撤去方法、ジャッキ制御装置６及びジャッキシステム１においては、地震信号を検出した際における、上構造体１１が下構造体１２に対して下方に変位する速度は、復元信号を検出した際における、当該速度と同じ、という構成でもよい。
【００７７】
また、上記実施形態に係る免震装置の撤去方法、ジャッキ制御装置６及びジャッキシステム１においては、各免震装置１３，１４は、円柱状に形成されている、という構成である。しかしながら、免震装置の撤去方法、ジャッキ制御装置６及びジャッキシステム１は、斯かる構成に限られない。例えば、免震装置の撤去方法、ジャッキ制御装置６及びジャッキシステム１においては、各免震装置１３，１４は、多角形柱状に形成されている、という構成でもよい。
【００７８】
また、上記実施形態に係る免震装置の撤去方法は、ジャッキ２１による上構造体１１の押し上げをジャッキ制御装置６により実行する、という方法である。しかしながら、免震装置の撤去方法は、斯かる方法に限られない。例えば、免震装置の撤去方法は、全て手動により、ジャッキ２１による上構造体１１の押し上げを実行する、という方法でもよい。
【００７９】
また、上記実施形態に係る免震装置の撤去方法は、ジャッキ制御装置６が地震信号を受信した際に、地震制御を実行する、という方法である。しかしながら、免震装置の撤去方法は、斯かる方法に限られない。例えば、免震装置の撤去方法は、地震が発生した際に、ジャッキ２１による上構造体１１の押し上げを維持する、という方法でもよい。
【００８０】
また、上記実施形態に係るジャッキ制御装置６及びジャッキシステム１は、ジャッキ２１は、第２上ベース１４ａと第２下ベース１４ｂとの間に配置されている、という構成である。しかしながら、ジャッキ制御装置及びジャッキシステムは、斯かる構成に限られない。例えば、ジャッキ制御装置及びジャッキシステムは、ジャッキ２１は、上構造体１１の構造本体１１ｃと下構造体１２の構造本体１２ｃとの間に配置されている、という構成でもよい。
【符号の説明】
【００８１】
１…ジャッキシステム、２…ジャッキユニット、３…駆動部、４…検出部、５…入力部、６…ジャッキ制御装置、１０…建物、１１…上構造体、１１ａ…第１上躯体、１１ｂ…第２上躯体、１１ｃ…構造本体、１２…下構造体、１２ａ…第１下躯体、１２ｂ…第２下躯体、１２ｃ…構造本体、１３…第１免震装置、１３ａ…第１上ベース、１３ｂ…第１下ベース、１３ｃ…第１免震部、１３ｄ…上固定体、１３ｅ…下固定体、１３ｆ…突出部、１４…第２免震装置、１４ａ…第２上ベース、１４ｂ…第２下ベース、１４ｃ…第２免震部、１４ｄ…上固定体、１４ｅ…下固定体、１４ｆ…突出部、２１…ジャッキ、２１ａ…本体部、２１ｂ…可動体、２１ｃ…支持板、２２…上介在体、２２ａ…凹部、２３…下介在体、２３ａ…凹部、３１…駆動源、３２…伝達部、３２ａ…配管、３２ｂ…制御弁、４１…地震検出部、４２…変位検出部、４２ａ…距離測定部、４２ｂ…台座、４３…圧力検出部、４４…振動検出部、５１…押上指示入力部、５２…復元指示入力部、５３…設定値入力部、５４…緊急指示入力部、６１…受信部、６２…記憶部、６３…制御部
【図１】
2017008548.tif 000003
【図２】
2017008548.tif 000004
【図３】
2017008548.tif 000005
【図４】
2017008548.tif 000006
【図５】
2017008548.tif 000007
【図６】
2017008548.tif 000008
【図７】
2017008548.tif 000009
【図８】
2017008548.tif 000010
【図９】
2017008548.tif 000011
【図１０】
2017008548.tif 000012